(57)【要約】【課題】受信した放送波から得られる映像データを記録する録画装置および放送波を受信する放送受信装置において、視聴可能チャンネルの番組の録画予約を簡単に行えるようにする。【解決手段】ＤＶＤレコーダ１１は、映像データを記録する記録手段と、ネットワークを介して外部チューナとの通信を行う通信手段とを備える。ＤＶＤレコーダ１１は、外部チューナで設定されている視聴可能チャンネルを示す視聴可能チャンネル情報の提示要求を通信手段によって外部チューナに送信する視聴可能チャンネル提示要求手段と、提示要求に応じて外部チューナから提示される視聴可能チャンネル情報にしたがい、外部チューナからネットワークを介して送信される外部映像データを記録手段に記録するための録画予約を設定する録画予約設定手段とを有する。【選択図】図１
2009010898.tif 000002
【特許請求の範囲】
【請求項１】
映像データを記録する記録手段と、ネットワークを介して外部チューナとの通信を行う通信手段とを備えた録画装置であって、
前記外部チューナで設定されている視聴可能チャンネルを示す視聴可能チャンネル情報の提示要求を前記通信手段によって前記外部チューナに送信する視聴可能チャンネル提示要求手段と、
前記提示要求に応じて前記外部チューナから提示される前記視聴可能チャンネル情報にしたがい、前記外部チューナからネットワークを介して送信される外部映像データを前記記録手段に記録するための録画予約を設定する録画予約設定手段とを有する録画装置。
【請求項２】
前記視聴可能チャンネル提示要求手段は、前記外部チューナが提供する機能に関する属性情報を取得または検索するためのコマンドを用いて前記提示要求を送信する請求項１記載の録画装置。
【請求項３】
前記提示要求に応じて前記外部チューナが提示する提示データから前記外部チューナの位置情報を取得する位置情報取得手段を更に有する請求項１または２記載の録画装置。
【請求項４】
前記位置情報取得手段が取得した前記位置情報を用いて、前記外部チューナに選局を要求する選局要求手段を更に有する請求項３記載の録画装置。
【請求項５】
映像データを記録する記録手段と、ネットワークを介して外部チューナとの通信を行う通信手段とを備えた録画装置であって、
前記外部チューナからネットワークを介して送信される外部映像データを前記記録手段に記録するための録画予約を設定する録画予約設定手段と、
該録画予約設定手段により設定された前記録画予約の示す録画開始時刻の所定時間前に、番組情報の提示要求を前記通信手段によって前記外部チューナに送信する番組情報提示要求手段と、
前記提示要求に応じて前記外部チューナから提示される前記番組情報にしたがい、放送される番組編成の変更有無を判定する判定手段と、
該判定手段が前記番組編成の変更有りと判定したときに、前記外部チューナから提示される前記番組情報にしたがい前記録画予約設定手段により設定されている前記録画予約の録画時間を変更する録画予約変更手段とを有する録画装置。
【請求項６】
前記判定手段は、前記番組情報に含まれている次番組情報にしたがい前記番組編成の変更有無を判定する請求項５記載の録画装置。
【請求項７】
放送波を選択して受信する受信手段と、ネットワークを介して録画装置との通信を行う通信手段とを備えた放送受信装置であって、
視聴可能チャンネルを示す視聴可能チャンネル情報の提示要求を前記通信手段が前記録画装置から受信したときに、前記通信手段を用いて前記視聴可能チャンネル情報を前記録画装置に提示する視聴可能チャンネル提示手段を有する放送受信装置。
【請求項８】
前記視聴可能チャンネル提示手段は、前記視聴可能チャンネル情報を含むＸＭＬ形式の提示データを用いて前記視聴可能チャンネル情報を提示する請求項７記載の放送受信装置。
【請求項９】
放送波を選択して受信する受信手段と、ネットワークを介して録画装置との通信を行う通信手段とを備えた放送受信装置であって、
番組情報の提示要求を前記通信手段が前記録画装置から受信したときに、前記通信手段を用いて番組情報を前記録画装置に提示する番組情報提示手段を有する放送受信装置。
【請求項１０】
前記番組情報提示手段は、前記受信手段が前記放送波を受信している受信中番組の情報と、該受信中番組の次に放送される次番組の情報とを前記番組情報として提示する請求項９記載の放送受信装置。
【発明の詳細な説明】
【技術分野】
【０００１】
本発明は、受信した放送波から得られる映像データを記録する録画装置および放送波を受信する放送受信装置に関する。
【背景技術】
【０００２】
従来、受信した放送波から得られる映像データをハードディスクやＤＶＤ−ＲＡＭ、ＤＶＤ−Ｒ等の記録媒体に記録する録画装置が知られている。この種の録画装置は従来様々なタイプの装置が知られている。
【０００３】
例えば特許文献１には、接続されている外部チューナに、記録すべき映像データの転送指令を送り、その外部チューナを用いた予約録画を行う録画装置が開示されている。
【特許文献１】特開２００４−３６３６４９号公報
【発明の開示】
【発明が解決しようとする課題】
【０００４】
ところで、放送される番組の中には、ユーザが決められたチャンネルの視聴契約を放送事業者と結び、所定の料金を支払うことを条件に視聴できる番組がある。
【０００５】
しかし、そのような視聴契約で決められているチャンネル（視聴可能チャンネルともいう）の番組の録画予約をする場合、従来の録画装置はユーザが所定の操作を行い、視聴可能チャンネルを指定しなければならなかった。
【０００６】
そこで、本発明は上記課題を解決するためになされたもので、受信した放送波から得られる映像データを記録する録画装置および放送波を受信する放送受信装置において、視聴可能チャンネルの番組の録画予約を簡単に行えるようにすることを目的とする。
【課題を解決するための手段】
【０００７】
上記課題を解決するため、本発明は、映像データを記録する記録手段と、ネットワークを介して外部チューナとの通信を行う通信手段とを備えた録画装置であって、外部チューナで設定されている視聴可能チャンネルを示す視聴可能チャンネル情報の提示要求を通信手段によって外部チューナに送信する視聴可能チャンネル提示要求手段と、提示要求に応じて外部チューナから提示される視聴可能チャンネル情報にしたがい、外部チューナからネットワークを介して送信される外部映像データを記録手段に記録するための録画予約を設定する録画予約設定手段とを有する録画装置を特徴とする。
【０００８】
また、本発明は、映像データを記録する記録手段と、ネットワークを介して外部チューナとの通信を行う通信手段とを備えた録画装置であって、外部チューナからネットワークを介して送信される外部映像データをデータ記録手段に記録するための録画予約を設定する録画予約設定手段と、その録画予約設定手段により設定された録画予約の示す録画開始時刻の所定時間前に、番組情報の提示要求を通信手段によって外部チューナに送信する番組情報提示要求手段と、提示要求に応じて外部チューナから提示される番組情報にしたがい、放送される番組編成の変更有無を判定する判定手段と、その判定手段が番組編成の変更有りと判定したときに、外部チューナから提示される番組情報にしたがい録画予約設定手段により設定されている録画予約の録画時間を変更する録画予約変更手段とを有する録画装置を提供する。
【０００９】
さらに、本発明は、放送波を選択して受信する受信手段と、ネットワークを介して録画装置との通信を行う通信手段とを備えた放送受信装置であって、視聴可能チャンネルを示す視聴可能チャンネル情報の提示要求を通信手段が録画装置から受信したときに、通信手段を用いて視聴可能チャンネル情報を録画装置に提示する視聴可能チャンネル提示手段を有する放送受信装置を提供する。
【００１０】
また、本発明は、放送波を選択して受信する受信手段と、ネットワークを介して録画装置との通信を行う通信手段とを備えた放送受信装置であって、番組情報の提示要求を通信手段が録画装置から受信したときに、通信手段を用いて番組情報を録画装置に提示する番組情報提示手段を有する放送受信装置を提供する。
【発明の効果】
【００１１】
以上詳述したように、本発明によれば、受信した放送波から得られる映像データを記録する録画装置および放送波を受信する放送受信装置において、視聴可能チャンネルの番組の録画予約を簡単に行えるようになる。
【発明を実施するための最良の形態】
【００１２】
以下、本発明の実施の形態について説明する。なお、同一要素には同一符号を用い、重複する説明は省略する。
【００１３】
図１は本発明の実施の形態に係る録画装置としてのＤＶＤレコーダ１１と、放送受信装置としてのＳＴＢ（Set  Top  Box）４０とを接続した録画予約システムの構成を示すブロック図である。この録画予約システムでは、Ｅｔｈｅｒｎｅｔ（登録商標）や無線ＬＡＮ等のネットワーク２を用いてＤＶＤレコーダ１１とＳＴＢ４０とを接続した構成を有している。
【００１４】
（ＤＶＤレコーダの構成）
ＤＶＤレコーダ１１は、詳しくは後述するが、ＨＤＤとＤＶＤドライブを内蔵しており、放送波を受信して、図１には図示しないＨＤＤまたは光ディスクＤ（例えば、ＤＶＤ−ＲＡＭやＤＶＤ−Ｒ等）に、例えばＭＰＥＧ（Moving  Picture  Image  Coding  Experts  Group）−２形式の映像データや、音声データ等のデジタルデータを記録する録画、録音が行える。また、記録したＭＰＥＧ−２形式のデジタルデータを読み取り、映像信号、音声信号を再生することもできる。
【００１５】
ＤＶＤレコーダ１１には、再生された映像データを用いて映像を表示する表示装置としてのテレビ１２が接続されている。テレビ１２はＤＶＤレコーダ１１による再生映像や操作画面を表示することができる。テレビ１２は受信した放送波から映像信号、音声信号を取得し、その映像信号、音声信号を用いて番組の映像表示、音声出力を行う。また、テレビ１２はＤＶＤレコーダ１１が再生した映像信号および音声信号を用いて番組の映像表示、音声出力を行う。
【００１６】
図２は、ＤＶＤレコーダ１１の内部構成を示すブロック図である。ＴＶチューナ２１には、地上放送受信アンテナ２０が受け取った地上デジタル放送の放送信号が入力されている。
【００１７】
ＴＶチューナ２１は地上デジタル放送用のチューナであって、供給される放送信号から所定のチャンネルの放送信号を選局する。ＴＶチューナ２１で選局された放送信号はＯＦＤＭ復調器２２に供給される。ＯＦＤＭ復調器２２はデジタル形式の映像データ及び音声データの復調処理を行い、エンコーダ２３に出力する。
【００１８】
エンコーダ２３は、入力された映像データをＭＰＥＧ−２規格に基づいて圧縮し、圧縮された映像データを出力する。音声データについても例えばＡＣ（Audio  Compression）−３規格に基づいて圧縮し、圧縮した音声データに変換して出力する。
【００１９】
エンコーダ２３では、圧縮した映像データと音声データとを記録に適したフォーマットとなるよう信号処理を行ってデータプロセッサ２４に出力する。エンコーダ２３でエンコードされた映像データおよび音声データやコントローラ３２で作成された管理情報は、データプロセッサ２４を介して、後述するＨＤＤ２５や、ＤＶＤドライブ２６に挿入されているＤＶＤ−ＲＡＭ等の光ディスクＤに記録される。
【００２０】
ＨＤＤ２５や、ＤＶＤドライブ２６に挿入された光ディスクＤに記録された映像データや音声データは、データプロセッサ２４を介してデコーダ２７に出力される。デコーダ２７は入力データから映像データと音声データとを分離して、それぞれをデコードする機能を有している。
【００２１】
デコーダ２７から出力された映像データはビデオミキサ２８に入力される。ビデオミキサ２８では、フレームメモリ２９をバッファとして使用しながら、入力された映像データとテキストデータや画像データとの合成が行われる。また、ビデオミキサ２８の出力は、ＤＡＣ３０（Digital  To  Analog  Converter）により、アナログ形式の映像信号に変換された後に、外部に出力される。デコーダ２７から出力された音声データについても、同様にＤＡＣ３１でアナログ形式の音声信号に変換された後に外部に出力される。
【００２２】
コントローラ３２は、ＭＰＵ（Micro  Processing  Unit）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。コントローラ３２は、ＲＯＭに記憶されている制御プログラムに従い前述の各モジュールを制御して、録画や再生などのセット動作を統括する。
【００２３】
また、コントローラ３２は、ユーザの操作する図示しないリモコンの操作情報を図示しない赤外線受光部を介して受信し、その受信した情報に従って動作を制御する。さらに、コントローラ３２は、ネットワーク２に接続されている他の装置（例えば、ＳＴＢ４０）との通信を行うネットワークインタフェース（ネットワークＩ／Ｆ）３３の動作を制御する。さらにまた、コントローラ３２は、ライブラリ管理機能を提供する。
【００２４】
コントローラ３２は、ＨＤＤ２５またはＤＶＤドライブ２６によるデータの記録（ここでは録画を想定している）に用いられ、そのデータの記録（録画）に先立ち予め設定された情報（以下「録画予約情報」という）に基づいて予約録画の実行を制御する。録画予約情報は、録画を行うために必要な情報で、チャンネル番号、録画開始時刻、録画終了時刻、録画モード（録画に使用するコーデックの種別、ビットレートなどの情報）などの情報が含まれている。
【００２５】
また、コントローラ３２はこのような録画予約情報を録画予約テーブルに格納して保持している。そして、コントローラ３２は現在時刻を監視していて、録画予約テーブルに格納されているいずれかの録画予約情報の録画開始時刻になると録画動作が開始されるように制御する。
【００２６】
すなわち、コントローラ３２は、録画開始時刻になると録画予約情報のチャンネル番号で指定されたチャンネルをＴＶチューナ２１によって選局し、録画モードに従いエンコーダ２３を作動させ、ＨＤＤ２５や光ディスクＤに録画データを記録させて録画を実行する。
【００２７】
さらに、コントローラ３２は録画実行中にも現在時刻を監視していて、録画終了時刻になると録画動作を停止し、録画動作によって記録されたデータ（映像データおよび音声データ）を保存する。なお、録画予約テーブルはＤＶＤレコーダ１１の電源をオフにした場合でも消去されないようにＨＤＤ２５に記憶されている。
【００２８】
ネットワークＩ／Ｆ３３はネットワーク２に接続されているＳＴＢ４０とデータを送受信するために用いられる。コントローラ３２は、ネットワークＩ／Ｆ３３を介して受信したデータを解釈するとともに、ＳＴＢ４０や図示しない他の録画装置に送信するデータを生成し、そのデータをネットワークＩ／Ｆ３３を介して送信する。
【００２９】
また、ＤＶＤレコーダ１１はＨＤＭＩＩ／Ｆ３４を有している。ＨＤＭＩＩ／Ｆ３４はＨＤＭＩケーブル３５を介して、ＨＤＭＩ規格にしたがいＳＴＢ４０から高精細のデジタル形式の映像データおよびデジタル形式の音声データを受信する。
【００３０】
そして、ＤＶＤレコーダ１１は電子番組ガイド（Electronic  Program  Guide）を利用することができる。ＤＶＤレコーダ１１は電子番組ガイドを利用することで、指定された範囲のチャンネル、時間帯に放送される番組の番組表をテレビ１２に表示することができる。ＥＰＧの利用に必要な番組表データは、例えば、放送波に重畳されているＳＩ（Service  Information)情報から取得することができる。
【００３１】
また、ＤＶＤレコーダ１１が図示しないインターネットに接続されているときは番組表データを公開しているサーバ（図示せず）から、番組表データを取得することもできる。なお、番組表データは電源をOFFした場合でも消去されないようＨＤＤ２５に保存されている。
【００３２】
（ネットワーク録画予約サービス）
コントローラ３２は、ＳＴＢ４０やネットワーク２に接続される図示しない他の録画装置に対してネットワーク録画予約サービス機能を提供することができる。コントローラ３２がネットワーク録画予約サービス機能を提供することにより、ＳＴＢ４０や他の録画装置に録画予約情報を公開するとともに、それらの装置から録画予約の設定を行えるようになっている。
【００３３】
このような機能を実現するため、コントローラ３２は、ＵＰｎＰ（Universal  Plug  And  Play）規格を用いてＳＴＢ４０や図示しない他の録画装置と通信を行う。ただし、他の同様のプロトコルを用いて上記の機能を実現することもできる。
【００３４】
ＵＰｎＰはＴＣＰ／ＩＰ（Transmission  Control  Protocol／Internet  Protocol）に基づく動作が行われるネットワークにおいて、そのネットワークに接続されている装置（ＳＴＢ、プリンタ、スキャナなど）の発見や操作を面倒な設定を行うことなく実現できるようにすることを目的としている。
【００３５】
ＵＰｎＰでは、ネットワークに接続されている装置に対して何らかの機能を提供する装置が「デバイス」と呼ばれ、その「デバイス」が提供する機能が「サービス」と呼ばれる。また、「デバイス」の提供する「サービス」を利用、制御する側の装置は「コントロールポイント」と呼ばれる。なお、これらの「デバイス」や「コントロールポイント」はプロトコルを規定するための概念的なモデルである。そのため、実際の装置（例えば、ＤＶＤレコーダ１１）は「デバイス」としての機能と、「コントロールポイント」としての機能を併有することもある。
【００３６】
そして、録画装置や、録画装置が提供する「サービス」を発見するためにはＳＳＤＰ（Simple  Service  Discovery  Protocol）が用いられる。ＳＳＤＰを用いることで、「デバイス」は、「デバイス」や「サービス」がネットワーク上に存在することを通知したり、「コントロールポイント」が所望の「デバイス」を探索したりすることができる。ＳＳＤＰで発見した装置からは、Device  Descriptionと呼ばれるＸＭＬ（Extensible  Markup  Language）形式で記述された録画装置の属性情報を取得することができる。
【００３７】
Device  Descriptionには、装置を一意に識別するための識別子であるＵＤＮ（Unique  Device  Name）、表示などに使用するFriendlyName、提供される「サービス」のリストなどが記述されている。同様に「サービス」についても、Serivce  Descriptionと呼ばれるＸＭＬ形式のデータを取得可能であり、実行できる操作などが記述されている。Service  Descriptionに記述されている操作は、ＳＯＡＰ（Simple  Object  Access  Protocol）を用いて呼び出される。
【００３８】
そして、ＤＶＤレコーダ１１が「デバイス」としてネットワーク録画予約サービスを提供する場合、コントローラ３２は、ネットワーク２に接続されている録画装置から送信（転送）される録画予約情報を受け付けるためにネットワーク録画予約サービスを実行する。ネットワーク録画予約サービスは前述のＵＰｎＰの「サービス」であるＳＲＳ（Scheduled  Recording  Service）として実現される。
【００３９】
また、コントローラ３２は、他の録画装置で作動するネットワーク録画予約サービスに対する「コントロールポイント」としての機能も実行する。この場合、コントローラ３２は他の録画装置で作動するネットワーク録画予約サービスに対して、録画予約取得要求、録画予約設定要求などを送信する。
【００４０】
ＣＤＳ(Contents  Directory  Service)は、ＤＶＤレコーダ１１等の録画装置やＳＴＢ４０等の放送受信装置のために定義されたサービスのひとつである。コントロールポイントとしてのＤＶＤレコーダ１１が、ＣＤＳを提供するデバイスとしてのＳＴＢ４０にアクセスすることによって、ＳＴＢ４０からビデオや音楽などのコンテンツの属性情報を取得することができる。
【００４１】
ＣＤＳでは、ひとつのコンテンツの属性情報がオブジェクトと呼ばれる。属性情報としては、コンテンツごとに一意な値が割り当てられるObject  ID、タイトル名などが含まれる。また、属性情報の一つにコンテンツのデータを取得するためのＵＲＬもある。コントロールポイントとしてのＤＶＤレコーダ１１は、ＳＴＢ４０から取得したＵＲＬにアクセスし、ＨＴＴＰ(Hyper  Text  Transport  Protocol)にしたがいデータを取得して映像信号を再生することもできる。
【００４２】
そして、ＣＤＳにはコンテンツの属性情報を取得するために使用するBrowseコマンド、指定した条件を満たすコンテンツの属性情報を探索するために使用するSearchコマンド、新しく属性情報を作成するために使用するCreate  Objectコマンドなどの操作コマンドが定義されている。
【００４３】
（ＳＴＢの構成）
ＳＴＢ４０は、図３に示すように、チューナ４２、ＯＦＤＭ復調器４３、ＭＰＥＧ復調器４４，ＣＰＵ４５，ＲＯＭ４６、通信Ｉ／Ｆ４７，ＨＤＭＩＩ／Ｆ４８、メモリ４９を有している。このＳＴＢ４０は、視聴可能チャンネルの放送を受信するために接続され、ＤＶＤレコーダ１１に視聴可能チャンネルの放送を受信して得られる映像データを送信する外部チューナとしての機能を有している。
【００４４】
チューナ４２には、ＢＳ／ＣＳデジタル放送受信アンテナ４１が受け取った衛星デジタル放送の放送信号が入力されている。チューナ４２は供給される放送信号から所定のチャンネルの放送信号を選局する。チューナ４２で選局された放送信号はＯＦＤＭ復調器４３に供給される。ＯＦＤＭ復調器４３はデジタル形式の映像データ及び音声データの復調処理を行い、ＭＰＥＧ復調器４４に出力する。
【００４５】
ＭＰＥＧ復調器４４は、入力された映像データをＭＰＥＧ−２規格に基づいて圧縮し、圧縮された映像データを出力する。音声データについても例えばＡＣ（Audio  Compression）−３規格に基づいて圧縮し、圧縮した音声データに変換して出力する。
ＣＰＵ４５は所定の制御プログラムにしたがい作動して、他の構成要素との信号の入出力を行い、ＳＴＢ４０全体の動作制御を行う。ＲＯＭ４６はＣＰＵ４５が実行するプログラムなどを記憶している。
【００４６】
通信Ｉ／Ｆ４７はネットワーク２に接続されているＤＶＤレコーダ１１との間でデータに送受信を行う。ＨＤＭＩＩ／Ｆ４８はＨＤＭＩケーブル３５を介して、ＨＤＭＩ規格にしたがいＤＶＤレコーダ１１に対して高精細のデジタル形式の映像データおよびデジタル形式の音声データを送信する。メモリ４９には後述する視聴可能チャンネル情報などが記憶されている。
【００４７】
（ＤＶＤレコーダの動作内容）
次に、ＳＴＢ４０を用いて視聴可能チャンネルの放送を受信し、ＤＶＤレコーダ１１で番組の予約録画を行う場合のＤＶＤレコーダ１１の動作内容について説明する。図４はＤＶＤレコーダ１１が視聴可能チャンネルの番組について予約録画を行うときの動作手順を示すフローチャートである。
【００４８】
まず、図４に示すように、ＤＶＤレコーダ１１は、ネットワーク２に接続されたＳＴＢ４０を含む各装置にＳＳＤＰのコマンドを送信する（Ｓ１）。Ｓ１の実行によって、図８に示すデータ送信ｔ１が行われる。なお、図８はＤＶＤレコーダ１１とＳＴＢ４０とにおけるデータの送受信シーケンスを示す図である。
【００４９】
続いて、ＤＶＤレコーダ１１では、コントローラ３２がＳＳＤＰのコマンドのレスポンスを受信するまで待機する（Ｓ２）。コントローラ３２は、レスポンスを受信すると視聴可能チャンネル提示要求手段としての動作を行い、ＣＤＳのBrowsコマンドを用いて視聴可能チャンネル情報の提示要求をＳＴＢ４０に送信する（Ｓ３）。Ｓ３の実行によって、データ送信ｔ２が行われる。Ｓ３では、コントローラ３２がＣＤＳのSearchコマンドをＳＴＢ４０に送信してもよい。
【００５０】
また、ＤＶＤレコーダ１１はＳＴＢ４０からのレスポンスを受信するまで待機する（Ｓ４）。そして、コントローラ３２はレスポンスを受信すると（データ送信ｔ３が行われると）、コントローラ３２が録画予約設定手段としての動作を行い、受信したレスポンスに含まれる視聴可能チャンネル情報とユーザの指定した内容に基づき、録画予約を設定する（Ｓ５）。すなわち、コントローラ３２は録画予約情報を生成し、生成した録画予約情報を録画予約テーブルに格納する。
【００５１】
この録画予約は、ＳＴＢ４０から送信される映像データ（外部映像データ）をＨＤＤ２５または光ディスクＤに記録する録画についての予約である。なお、詳しくは後述するが、Ｓ４で受信するレスポンスには、視聴可能チャンネルを示す視聴可能チャンネル情報と、ＳＴＢ４０のアドレスを示すＵＲＬとが含まれている。
【００５２】
続いて、コントローラ３２はＳ５で設定した録画予約の録画開始時刻になるまで待機し（Ｓ６）、録画開始時刻になるとＳ７に動作を進めて位置情報取得手段としての動作を行い、ＳＴＢ４０から提示されるレスポンスからＳＴＢ４０のＵＲＬ（位置情報）を取得する。また、コントローラ３２は取得した位置情報を用いて選局要求手段としての動作を行い、ＳＴＢ４０に選局要求を行う（選局要求を送信する）。
【００５３】
続いてコントローラ３２は後述する認証手続Ｐを実行後、ＳＴＢ４０から外部映像データを受信し（Ｓ８）、受信する外部映像データをＨＤＤ２５に記録して録画を行う（Ｓ９）。Ｓ９が終了すると、視聴可能チャンネルの番組について予約録画が終了する。Ｓ８では、図８に示すデータ送信ｔ４が行われている。
【００５４】
以上のように、ＤＶＤレコーダ１１はコントローラ３２の動作によって、ＳＴＢ４０に視聴可能チャンネル情報の提示要求を送信して、ＳＴＢ４０から提示される視聴可能チャンネル情報を用いて、視聴可能チャンネルの番組の録画予約を設定する。
【００５５】
そのため、ユーザがわざわざ視聴可能チャンネルを指定することなく、視聴可能チャンネルの番組について録画予約を設定でき、視聴可能チャンネルの番組の録画予約が簡単に行えるようになっている。したがって、ＤＶＤレコーダ１１は視聴可能チャンネルの番組を簡単に録画できるようになっている。
【００５６】
また、ＤＶＤレコーダ１１がＳＴＢ４０から提示されるレスポンスからＳＴＢ４０のアドレスを取得し、そのアドレスにしたがってＳＴＢ４０へのアクセスを行う。そのため、ユーザがＳＴＢ４０のアドレスを指定することなく、直接、ＳＴＢ４０に選局要求を行えるようにもなっている。
【００５７】
また、ＤＶＤレコーダ１１は視聴可能チャンネルの番組についての予約録画を図５に示すフローチャートに沿って実行することもできる。
【００５８】
この場合、ＤＶＤレコーダ１１はコントローラ３２がＳ１からＳ５までを上記同様に実行した後、Ｓ２１に動作を進めて、録画開示時刻の１分前（２分前、３０秒前など他の時間にしてもよい）になったかどうかを判定する。そして、コントローラ３２は録画開示時刻の１分前になると、Ｓ２２に動作を進めて番組情報提示要求手段としての動作を行い、ＳＴＢ４０にＥＰＧ情報（番組情報）の提示要求を送信する（Ｓ２２）。このとき、図９に示すデータ送信ｔ５が行われる。なお、図９はＤＶＤレコーダ１１とＳＴＢ４０とにおける図５に対応したデータの送受信シーケンスを示す図である。
【００５９】
続いて、コントローラ３２はＳＴＢ４０からのレスポンスを受信するまで（図９に示すデータ送信ｔ６があるまで）待機する（２３）。コントローラ３２はレスポンスを受信すると判定手段としての動作を行い、受信したレスポンスに基づいて、番組編成に変更があったかどうかを判定する（Ｓ２４）。
【００６０】
ここで、コントローラ３２は番組編成に変更があったときはＳ２５に動作を進め、そうでなければＳ２５を実行せず、図９に示すＤＴＣＰ−ＩＰ（digital  transmission  content  protection  over  internet  protocol）の認証手続Ｐを実行後、Ｓ７、Ｓ８、Ｓ９を上記同様に実行した後、予約録画動作を終了する。なお、ＤＴＣＰ−ＩＰは、コンテンツを暗号化してネットワーク２に送信することにより、パケットの盗聴によるコンテンツの不正コピーを防止するための規格である。
【００６１】
詳しくは後述するが、Ｓ２３で受信するレスポンスは、番組リスト１００のようにＸＭＬ形式で記述されたメタデータで構成され、後述する次番組情報が含まれている。
【００６２】
コントローラ３２はＳ２５では、ＳＴＢ４０から提示されるＥＰＧ情報にしたがい録画予約変更手段としての動作を行い、設定されている録画予約（録画予約テーブルに記憶されている録画予約情報のうちの対応する録画予約情報）について、録画時間（録画開始時刻と録画終了時刻）を変更する。
【００６３】
このようにすると、ＤＶＤレコーダ１１は番組編成に変更があったときは録画時間を変更して録画を行うことができる。
【００６４】
従来、ＳＴＢが受信する番組の録画をＤＶＤレコーダ１１で行う場合において、ＤＶＤレコーダ１１に録画予約を設定した後に、何らかの事情（例えば、スポーツの中継時間の延長や臨時ニュースの放送が入った場合など）により、放送される番組の編成が変わることがある。この場合、従来の録画装置では、当初予約した番組の一部または全部が他の番組に変わって録画が行われてしまい、予約した番組の録画が行われないことがあった。
【００６５】
しかし、本実施の形態に係るＤＶＤレコーダ１１は、録画開始時刻の１分前になった時点でＳＴＢ４０に番組情報の提示要求を行った上で、ＳＴＢ４０から提示される番組情報にしたがい、番組編成に変更があったときは録画時間を変更してから録画を行う。
【００６６】
そのため、ＤＶＤレコーダ１１は、番組編成が変わっても、変更後の番組編成に対応した録画を行うことができ、当初予約した番組を確実に録画できるようになっている。
【００６７】
（ＳＴＢの動作内容）
次に、以上のＤＶＤレコーダ１１の動作に対応したＳＴＢ４０の動作内容について説明する。図６はＳＴＢ４０の動作手順を示すフローチャートである。ＳＴＢ４０では、ＣＰＵ４５が動作を制御している。
【００６８】
ＣＰＵ４５は、図６に示す動作とは別にＳＳＤＰのコマンドを受信したかどうかを判定し、ＳＳＤＰのコマンドを受信したときは通信Ｉ／Ｆ４７によってＤＶＤレコーダ１１にレスポンスを提示する。
【００６９】
次に、ＣＰＵ４５は、図６に示すフローチャートしたがって動作を開始すると、まず、Browsコマンドを受信したか否かを判定する（Ｓ３１）。Browsコマンドを受信すると、ＣＰＵ４５が視聴可能チャンネル提示手段としての動作を行い、視聴可能チャンネル情報とＳＴＢ４０のアドレスを示すＵＲＬを含んだレスポンスを送信して視聴可能チャンネル情報を提示する（Ｓ３２）。
【００７０】
また、ＣＰＵ４５は、選局要求を受信するまで待機し（Ｓ３３）、選局要求を受信すると、チューナ４２によって選局したチャンネルで放送されている番組の映像データを外部映像データとしてＤＶＤレコーダ１１に送信する（Ｓ３４）。その後、ＣＰＵ４５は、動作を終了する。
【００７１】
また、ＳＴＢ４０は図７に沿って動作を実行することもできる。この場合、ＣＰＵ４５は、Ｓ３１、Ｓ３２を上記同様に実行した後、ＤＶＤレコーダ１１からＥＰＧ情報の提示要求を受信するまで待機する（Ｓ４０）。ＣＰＵ４５は、ＥＰＧ情報の提示要求を受信すると、番組情報提示手段としての動作を行い、ＤＶＤレコーダ１１に番組リスト１００を送信して番組情報を提示する（Ｓ３４）。その後、ＣＰＵ４５は、Ｓ３３、Ｓ３４を上記同様に実行した後、動作を終了する。
【００７２】
ここで、番組リスト１００はＸＭＬ形式で記述されたデータであって、図１０に示すように、現在放送されている番組（受信中番組）に関する番組情報を示す番組タグ１０１と、次に放送される次番組に関する次番組情報を示す番組タグ１０２とを有している。いずれも、ＳＴＢ４０のアドレスを示すＵＲＬ１０３，１０４を含んでいる。なお、詳しくは番組リスト１００はＤＬＮＡガイドライン（Digital  Living  Network  Alliance  guideline）にしたがって定めることができる。
【００７３】
ＳＴＢ４０が以上のような動作を行い、ＤＶＤレコーダ１１からの要求に応じて番組リスト１００を提示するなどの動作を行うことにより、ＤＶＤレコーダ１１が視聴可能チャンネル情報を用いて録画予約を設定できるようになる。また、番組編成が変わった場合にも、ＤＶＤレコーダ１１が録画予約を流動的に変更して録画を行えるようになる。
【００７４】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７５】
【図１】本発明の実施の形態に係るＤＶＤレコーダとＳＴＢとを接続した録画予約システムの構成を示すブロック図である。
【図２】本発明の実施の形態に係るＤＶＤレコーダの内部構成を示すブロック図である。
【図３】本発明の実施の形態に係るＳＴＢの内部構成を示すブロック図である。
【図４】ＤＶＤレコーダの予約録画動作の動作手順を示すフローチャートである。
【図５】ＤＶＤレコーダの別の予約録画動作の動作手順を示すフローチャートである。
【図６】ＳＴＢのＤＶＤレコーダに対応した動作の動作手順を示すフローチャートである。
【図７】ＳＴＢのＤＶＤレコーダに対応した別の動作の動作手順を示すフローチャートである。
【図８】ＤＶＤレコーダとＳＴＢとにおけるデータの送受信シーケンスを示す図である。
【図９】ＤＶＤレコーダとＳＴＢとにおけるデータの別の送受信シーケンスを示す図である。
【図１０】ＳＴＢから提示される番組リストの一例を示す図である。
【符号の説明】
【００７６】
１１…ＤＶＤレコーダ、２５…ＨＤＤ、２６…ＤＶＤドライブ、３２…コントローラ、３３…ネットワークＩ／Ｆ、４０…ＳＴＢ、４５…ＣＰＵ，４７…通信Ｉ／Ｆ、１００…番組リスト、１０１，１０２…番組タグ、１０３，１０４…ＵＲＬ
【図１】
2009010898.tif 000003
【図２】
2009010898.tif 000004
【図３】
2009010898.tif 000005
【図４】
2009010898.tif 000006
【図５】
2009010898.tif 000007
【図６】
2009010898.tif 000008
【図７】
2009010898.tif 000009
【図８】
2009010898.tif 000010
【図９】
2009010898.tif 000011
【図１０】
2009010898.tif 000012